(57)【要約】【課題】ノズルからの噴水が反射板と当接することにより発生する飛沫が、上方へ舞い上がらないようにする。【解決手段】斜め上方へ噴水するノズル１２を備える本体１１と、本体１１に対してスプリング１３により付勢されて所定角度回転可能とするとともに、前記ノズル１２からの噴射方向に配設される反射板１５を設けたアーム１４とを備えるスプリンクラー１において、前記反射板１５の上方を覆うプロテクタ２０が本体１１から延設される。【選択図】図２
2017163932.tif 000002
【特許請求の範囲】
【請求項１】
噴水するノズルを備える本体と、本体に対してスプリングにより付勢されて所定角度回転可能とするとともに、前記ノズルからの噴射方向に配設される反射板を設けたアームとを備えるスプリンクラーにおいて、前記反射板の上方を覆うプロテクタが本体から延設されることを特徴とするスプリンクラー。
【請求項２】
前記プロテクタは前記ノズルに着脱可能に取り付けられることを特徴とする請求項１に記載のスプリンクラー。
【請求項３】
前記プロテクタは板体で構成され、前記プロテクタは、ノズルの上方から噴水中心線方向と略平行に延設されるとともに、反射板の上方から反射板が噴水圧で回動する範囲の上方に配置されることを特徴とする請求項１または請求項２に記載のスプリンクラー。
【請求項４】
前記プロテクタは、噴水が反射板で反射する方向へ延設されるとともに、その延設部は、反射板の上方から斜め下方に折り曲げられることを特徴とする請求項１乃至請求項３のいずれか１項に記載のスプリンクラー。
【請求項５】
スプリンクラーのノズルに取り付け、ノズルの上方から該ノズルの噴射方向に配設される反射板の上方を覆うプロテクタであって、該プロテクタは、ノズルへ取り付けるための取付部と、該取付部の上部から噴水方向に延設される上飛散防止部と、該上飛散防止部から反射板により反射される方向へ延設される側部飛散防止部とを備えるスプリンクラーに取り付けるプロテクタ。
【発明の詳細な説明】
【技術分野】
【０００１】
本発明は、スプリンクラーの上部にプロテクタを取り付けて、上方への飛沫の飛散を防止するため技術に関する。
【背景技術】
【０００２】
従来から、スプリンクラーを用いて果樹園や庭等に散水することが行われている。スプリンクラーは、ノズルから吐水される水を反射板に当てて、その水圧を利用してノズルを水平方向に回転させて、一定周囲または全周に散水できるようにしている。
【０００３】
また、ノズルから噴出方向上方へアームを延設し、該アームの先端に水押え板を略水平方向に配置して、ノズルから噴出する水の上下方向の噴射角度を調整するとともに、水押え板の接水面に噴水を収束する溝を形成した技術が公知となっている（例えば、特許文献１参照）。
【先行技術文献】
【特許文献】
【０００４】
【特許文献１】実公平４−２０５１３号公報
【発明の概要】
【発明が解決しようとする課題】
【０００５】
しかし、前記特許文献１の技術では、反射板の上方には水押え板が存在せず（反射板よりもやや先端側上方）、反射板が水圧で回動して、ノズルからの噴水が反射板に当接しない位置で噴水が水押え板に当たるようにしていた。従って、反射板に噴水が当接しているときには、当接による飛沫が上方へ舞い上がることになる。また、水押え板にノズルからの噴水が当接しているときも、水押え板の面積が小さいために、当接による飛沫が上方へ舞い上がっていた。この舞い上がった飛沫は果樹園の場合果実に付着し、伝染病の原因となっていた。
そこで、ノズルからの噴水が反射板と当接することにより発生する飛沫が、上方へ舞い上がらないようにするスプリンクラーを提供しようとする。
【課題を解決するための手段】
【０００６】
本発明の解決しようとする課題は以上の如くであり、次にこの課題を解決するための手段を説明する。
即ち、請求項１においては、噴水するノズルを備える本体と、本体に対してスプリングにより付勢されて所定角度回転可能とするとともに、前記ノズルからの噴射方向に配設される反射板を設けたアームとを備えるスプリンクラーにおいて、前記反射板の上方を覆うプロテクタが本体から延設されるものである。
【０００７】
請求項２においては、前記プロテクタは前記ノズルに着脱可能に取り付けられるものである。
請求項３においては、前記プロテクタは板体で構成され、前記プロテクタは、ノズルの上方から噴水中心線方向と略平行に延設されるとともに、反射板の上方から反射板が噴水圧で回動する範囲の上方に配置されるものである。
請求項４においては、前記プロテクタは、噴水が反射板で反射する方向へ延設されるとともに、その延設部は、反射板の上方から斜め下方に折り曲げられるものである。
請求項５においては、スプリンクラーのノズルに取り付け、ノズルの上方から該ノズルの噴射方向に配設される反射板の上方を覆うプロテクタであって、該プロテクタは、ノズルへ取り付けるための取付部と、該取付部の上部から噴水方向に延設される上飛散防止部と、該上飛散防止部から反射板により反射される方向へ延設される側部飛散防止部とを備えるものである。
【発明の効果】
【０００８】
本発明の効果として、以下に示すような効果を奏する。
即ち、ノズルからの噴水が反射板に当り反射するときに発生する飛沫が、プロテクタにより上方へ舞い上がることが防止され、木や果実への伝染病原菌の付着を軽減できるようになった。
【図面の簡単な説明】
【０００９】
【図１】本発明のスプリンクラーを用いて果樹園に散水している状態を示す図。
【図２】スプリンクラーの側面図。
【図３】スプリンクラーの平面図。
【図４】同じくプロテクタを外した状態のスプリンクラーの平面図。
【図５】スプリンクラーの切換レバーを切り換えた状態の側面図。
【図６】プロテクタの平面図と後面図。
【図７】プロテクタの組み付けを示すスプリンクラーの側面図。
【発明を実施するための形態】
【００１０】
スプリンクラー１は、図１に示すように、農園や果樹園で散水するために使用され、防除等にも利用される。スプリンクラー１は、ホース２を介してポンプ３と接続され、該ポンプ３は水源より給水して、ホース２を介してスプリンクラー１へ水を圧送する。スプリンクラー１は水平方向に回転しながら周囲に水を散水する。
【００１１】
次に、本発明のスプリンクラー１の全体構成を図２乃至図４より説明する。なお、Ｆ方向を前方として説明する。
スプリンクラー１は、基部パイプ１０と、該基部パイプ１０に回転自在に支持される本体１１と、該本体１１に取り付けられ噴水するノズル１２と、本体１１に対して回転自在に取り付けられスプリング１３により付勢されてノズル１２上方へ延設されるアーム１４と、該アーム１４の先端に設ける反射板１５と、アーム１４と本体１１との間で本体１１の回転方向を切り換える切換レバー１６と、回転範囲を設定するストッパー１７と、前記ノズル１２に着脱自在に取り付けられるプロテクタ２０等を備える。
【００１２】
前記基部パイプ１０は軸心Ｏ１が上下方向となるように配置され、下端が前記ホース２と接続される。基部パイプ１０上には中空状の本体１１下部の軸部１１ａが回転自在に嵌合され、該軸部１１ａ上にバネ１８を介装して、このバネ圧によって本体１１が一定圧力以上の力が加えられないと回転しないように付勢している。前記本体１１の上下中途部に水平面より上方へ設定角度傾斜して側方へ吐出するようにノズル１２を配設している。
【００１３】
前記本体１１の上部には、門型に形成された支持部１１ｂが形成され、該支持部１１ｂの内側に軸心Ｏ１と一致する枢支軸１１ｃを設け、該枢支軸１１ｃにアーム１４の前後中途部に形成したボス部１４ａが回転自在に支持されている。該ボス部１４ａの外周にはスプリング１３が外嵌され、該スプリング１３の一端は本体１１に係止され、他端はアーム１４に係止される。つまり、アーム１４は支持部１１ｂ内を貫通し、該アーム１４と本体１１との間にスプリング１３が介装されて、該アーム１４はスプリング１３の付勢力により一端がノズル１２側へ回動するように付勢され、該アーム１４は支持部１１ｂに当接して回動が止められる。
【００１４】
前記アーム１４の一端はノズル１２の吐出口の先まで延設されて反射板１５を形成している。反射板１５は、ノズル１２の前方に配置されて、平面視でノズル１２からの噴水中心線Ｏ２に対して斜めに傾斜して配置され、噴水が反射板１５に当接して側方に反射させるようにしている。前記アーム１４の他端は軸心Ｏ１に対して反射板１５と反対方向に延設され、アーム１４の他端にウエイト１９を形成している。該ウエイト１９の下部から当接片３０を下方に突設している。
【００１５】
前記本体１１の上下中途部側面より枢支軸３１が側方に突設され、該枢支軸３１に規制体３２の前後中央と切換レバー１６の上部が枢支される。該規制体３２は一端（前端）が前方へ延設されて凸部３２ａが形成され、該凸部３２ａは本体１１より側方へ突出した上規制ピン３３Ｕと下規制ピン３３Ｄの間に挿入される。前記規制体３２の他端（後端）は平面視コ字状に形成されて前記当接片３０下方へ延設している。
【００１６】
前記枢支軸３１に枢支された切換レバー１６は、下方に延設され、基部パイプ１０に外嵌したストッパー１７とストッパー１７の間に挿入される。該ストッパー１７は基部パイプ１０に回動可能に外嵌され、噴水範囲を設定するものである。
前記切換レバー１６の上部から前方に規制突起１６ａが突設され、該規制突起１６ａは前記上規制ピン３３Ｕと下規制ピン３３Ｄの間に挿入される。前記切換レバー１６の上部の枢支軸３１への軸支部からは後方にステー３４が突設され、該ステー３４の先端にロッド３５の前端が枢支される。該ロッド３５にはバネ３６を外嵌し、ロッド３５の先端を前記規制体３２の後面に開口した孔に摺動自在に挿入している。
【００１７】
このような構成において、切換レバー１６を図２のＫ位置から図５に示すＪ位置に回動すると、規制突起１６ａが下規制ピン３３Ｄに当接し、ステー３４が持ち上げられる。該ステー３４が持ち上げられることによって、バネ３６は規制体３２の後面を下方に押し、規制体３２は枢支軸３１を中心に下方へ回動される。この状態で規制体３２は当接片３０に対して当接されない位置となる。つまり、アーム１４は規制体３２に規制されることなく回動可能な状態となる。
【００１８】
この状態でノズル１２より噴水すると、水が反射板１５に当たり、その水圧によってアーム１４はバネ１８に抗して矢印Ｍ方向（図４）へ回動する。ノズル１２からの噴水によって最大回動位置まで回動すると、噴水は反射板１５に当たっていないので、スプリング１３の付勢力によって元の位置の方へ回動し、アーム１４は支持部１１ｂに当たりアーム１４とウエイト１９の慣性力によって本体１１はＮ方向へ回動する。このとき本体１１は軸部１１ａに外嵌したバネ１８によってブレーキがかけられて所定角度回動する。そして、反射板１５が元の位置に戻るので、再び噴水によってアーム１４はＭ方向へ回動される。この動作が繰り返されて本体１１は徐々に時計方向（Ｎ方向）に回転される。
【００１９】
そして、本体１１が回転されて、切換レバー１６がストッパー１７に当接してさらに回動すると、切換レバー１６がＪ位置からＫ位置方向に回動され、規制突起１６ａが上規制ピン３３Ｕに当接して切換レバー１６はＫ位置で停止する。このとき、ステー３４が下方へ回動されてロッド３５に外嵌したバネ３６は規制体３２を上方へ回動するように付勢し、規制体３２は上方へ回動され、他端の凸部３２ａは下方へ回動されて下規制ピン３３Ｄに当接して停止する。このように規制体３２が上方へ回動すると、アーム１４の当接片３０は規制体３２に当接するようになり、噴水によってアーム１４は本体１１に対してＭ方向へ回動することができないが、アーム１４と一体となった本体１１はＭ方向へ回動することになる。そして、切換レバー１６がストッパー１７に当接してＫ位置からＪ位置へ回動されると、規制体３２は下方へ下げられて、前述のようにスプリンクラー１はＮ方向へ回動するようになる。このようにして往復回動が繰り返されるのである。なお、切換レバー１６をストッパー１７に当たらない位置まで回動しておくと、一方向へのみ回転する状態とすることができる。
【００２０】
次に、本発明のプロテクタ２０について説明する。なお、プロテクタ２０は、切替装置により設定角度内を往復動可能とする前記スプリンクラー１に取り付ける実施例を説明しているが、切替装置を持たない全円タイプのスプリンクラーにも前記同様にプロテクタ２０を取り付けることができる。
プロテクタ２０は、耐食性を有するステンレス等の板体で構成され、図６に示すように、プロテクタ２０は、ノズル１２へ取り付けるための取付部２３ａと、該取付部２３ａの上部から噴水方向に延設される上飛散防止部２１と、該上飛散防止部２１から反射板１５により反射される方向へ延設される側部飛散防止部２２とを備え、一枚の板体が折り曲げ形成される。取付部２３は上飛散防止部２１の基部側（後端）に配置して、９０度折り曲げて形成される。取付部２３には取付孔２３ａが開口され、図７に示すように、ノズル１２を本体１１に螺装して取り付けるためのネジ部１２ａに取付孔２３ａを嵌合できるように開口している。つまり、プロテクタ２０を取り付ける場合、ノズル１２のネジ部１２ａにパッキン２６とワッシャ２７を外嵌して、更に、プロテクタ２０の取付孔２３ａを嵌合した状態で、ノズル１２を本体１１に螺装して取り付ける。つまり、ノズル１２の着脱と同時にプロテクタ２０も着脱できる。言い換えれば、ノズル１２を外すことでプロテクタ２０を容易に着脱できる。なお、前記取付孔２３ａの上部には、プロテクタ２０の回り止めとなるネジ２４が螺装されている。該ネジ２４はそのネジ頭が本体１１の支持部１１ｂに当たり、プロテクタ２０の上飛散防止部２１が噴水中心線Ｏ２と略平行となるような位置に取り付けている。また、他の形状のスプリンクラーのノズル１２にも該プロテクタ２０は取付可能であり、この場合、ネジ２４の取り付け方向を逆とし、ネジ部の先端がノズル取付部の突起に当たり、上飛散防止部２１が噴水中心線Ｏ２と略平行となるように取り付ける。
【００２１】
上飛散防止部２１と側部飛散防止部２２は、側面視において、ノズル１２上方からノズル１２の噴水中心線Ｏ２と略平行となるように前方（噴水方向）へ延設され、上飛散防止部２１は反射板１５の上端よりも所定の間隔をあけて配設される。つまり、ノズル１２から噴水された時に直接水が当たらない距離をあけている。
【００２２】
また、上飛散防止部２１は、図４に示すように、反射板１５上方を完全に覆うとともに、反射板１５にノズル１２からの噴水が当たる間で発生する、上方への飛散を防ぐ最適な大きさとしている。具体的に、上飛散防止部２１は、アーム１４が本体１１に対して回動可能な状態のときに、噴水が反射板１５に当って飛沫が発生する最大回転位置で飛沫の上方への飛散を抑えられる範囲を覆うように、アーム１４の回転方向（Ｍ方向、反射板１５で反射し噴水される方向と反対側）に延設される。
【００２３】
側部飛散防止部２２は前記上飛散防止部２１からアーム１４の回転方向（Ｍ方向、反射板１５で反射し噴水される方向と反対側）とは反対方向に延設され、上飛散防止部２１に対して斜め下方に折り曲げられる。この折り曲げ線２５は噴水中心線Ｏ２と平行で、反射板１５よりもアーム１４回転方向（Ｍ方向、反射板１５で反射し噴水される方向と反対側）と反対側寄りに配設している。また、側部飛散防止部２２の下端は反射板１５の上端と略同じ高さ（図２）としている。但し、側部飛散防止部２２は下方へ湾曲するように曲面で構成することも可能である。
【００２４】
以上のように、噴水するノズル１２を備える本体１１と、本体１１に対してスプリング１３により付勢されて所定角度回転可能とするとともに、前記ノズル１２からの噴射方向に配設される反射板１５を設けたアーム１４とを備えるスプリンクラー１において、前記反射板１５の上方を覆うプロテクタ２０が本体１１から延設されるので、ノズル１２から噴水された水が反射板１５に当接して、図１に示すように、飛沫Ａが発生しても、プロテクタ２０により上方へ舞い上がることが抑制され、果樹園等では飛沫が果実への付着が減少し、それによる伝染病の発生も減少できるようになった。
【００２５】
また、前記プロテクタ２０は、前記ノズル１２に着脱可能に取り付けられるので、ノズル１２を外して簡単にプロテクタ２０を取り付けることができ、プロテクタ２０を取り付けるための新たなボルトが不要で、ネジ孔を加工する必要もなく、現状のスプリンクラー１を変更することなく後付することができる。また、プロテクタ２０が不要な場合は容易に取り外すことができる。また、プロテクタ２０は、ネジ２４とパッキン２６とワッシャ２７とを用意するだけで、既設のスプリンクラー１（前記スプリンクラー１の構造と類似機種）への後付も可能である。
【００２６】
また、前記プロテクタ２０は板体で構成され、前記プロテクタ２０は、ノズル１２の上方から噴水中心線Ｏ２方向と略平行に延設されるとともに、反射板１５の上方から反射板１５が噴水圧で回動する範囲の上方に配置されるので、プロテクタ２０は構造が簡単で安価で容易に製作することができ、スプリンクラー１が回転するときにも上方を覆うことができ、飛沫の舞い上がりを広い範囲で防ぐことができる。
【００２７】
また、前記プロテクタ２０は、噴水が反射板１５で反射する方向へ延設されるとともに、その延設部は、反射板１５の上方から斜め下方に折り曲げられるので、噴水が反射板１５により反射した方向へ舞い上がる飛沫も抑えることができる。特に、延設部となる側部飛散防止部２２が下方へ折り曲げられているので、噴水時に側部飛散防止部２２に当たって跳ね返る飛沫を更に下方へ跳ね返すことになり、飛散の防止効果を更に高めることができる。
【符号の説明】
【００２８】
１    スプリンクラー
１１  本体
１２  ノズル
１３  スプリング
１４  アーム
１５  反射板
２０  プロテクタ
２２  側部飛散防止部
【図１】
2017163932.tif 000003
【図２】
2017163932.tif 000004
【図３】
2017163932.tif 000005
【図４】
2017163932.tif 000006
【図５】
2017163932.tif 000007
【図６】
2017163932.tif 000008
【図７】
2017163932.tif 000009